(57)【要約】【課題】破損片が食品に混入してしまったとしても、当該破損片を簡単容易に発見することができる食品用防護着を提供することを目的としている。【解決手段】食品Ｆに、破損片Ｋが混入されたとしても、その食品Ｆにブラックライト等の紫外線光源Ｌを用いて紫外線Ｓを照射させれば、その紫外線Ｓに反応して破損片Ｋが発光する発光物質が食品用防護着本体である合成樹脂製の食品用エプロン本体，合成樹脂製の食品用腕カバー本体に混練されてなることを特徴としている。【選択図】図２
2018003188.tif 000002
【特許請求の範囲】
【請求項１】
食品用防護着本体を備えた合成樹脂製の食品用エプロン及び／又は合成樹脂製の食品用腕カバーからなる食品用防護着であって、
前記食品用防護着本体には、紫外線に反応して発光する発光物質が混練されてなる食品用防護着。
【請求項２】
前記発光物質は、前記食品用防護着本体の全域に亘って混練されてなる請求項１に記載の食品用防護着。
【発明の詳細な説明】
【技術分野】
【０００１】
本発明は、食品を取り扱う際に使用される合成樹脂性の食品用エプロン及び／又は合成樹脂製の食品用腕カバーからなる食品用防護着に関する。
【背景技術】
【０００２】
従来、食品工場等で働く作業者は、作業衣を着て作業を行っている（例えば、特許文献１参照）。
【先行技術文献】
【特許文献】
【０００３】
【特許文献１】実用新案登録第３１１８０３７号
【発明の概要】
【発明が解決しようとする課題】
【０００４】
しかしながら、上記のような作業衣、特に、食品用エプロンや食品用腕カバーは他の衣服に比べ破損し易いため、その破損片が当該食品に混入してしまうと、見つけ出すのが非常に困難であるという問題があった。それゆえ、異物が混入されたままの食品が出荷されかねないという問題があった。
【０００５】
そこで本発明は、上記問題に鑑み、破損片が食品に混入してしまったとしても、当該破損片を簡単容易に発見することができる食品用防護着を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１に係る食品用防護着は、食品用防護着本体（食品用エプロン本体１０，食品用腕カバー本体２０参照）を備えた合成樹脂製の食品用エプロン（１）及び／又は合成樹脂製の食品用腕カバー（２）からなる食品用防護着であって、
前記食品用防護着本体（食品用エプロン本体１０，食品用腕カバー本体２０参照）には、紫外線（Ｓ）に反応して発光する発光物質が混練されてなることを特徴としている。
【０００８】
また、請求項２に係る食品用防護着は、上記請求項１に記載の食品用防護着において、前記発光物質は、前記食品用防護着本体（食品用エプロン本体１０，食品用腕カバー本体２０参照）の全域に亘って混練されてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る食品用防護着によれば、食品用防護着本体（食品用エプロン本体１０，食品用腕カバー本体２０参照）に紫外線（Ｓ）に反応して発光する発光物質が混練されているから、図２に示す食品（Ｆ）に、食品用防護着（食品用エプロン１，食品用腕カバー２参照）の破損片（Ｋ）が混入されたとしても、その食品（Ｆ）にブラックライト等の紫外線光源（Ｌ）を用いて紫外線（Ｓ）を照射させれば、その紫外線（Ｓ）に反応して破損片（Ｋ）が発光するため、当該破損片（Ｋ）を簡単容易に発見することができる。
【００１１】
また、請求項２に係る食品用防護着によれば、発光物質は、食品用防護着本体（食品用エプロン本体１０，食品用腕カバー本体２０参照）の全域に亘って混練されているから、食品用防護着（食品用エプロン１，食品用腕カバー２参照）のどの部分が破損しても、その破損片（Ｋ）には紫外線に反応して発光する発光物質が混練されていることとなり、もって、食品（Ｆ）に混入してしまった破損片（Ｋ）を簡単容易に発見することができる。
【図面の簡単な説明】
【００１２】
【図１】本発明の一実施形態に係る食品用防護着を示し、（ａ）は、食品用エプロンの斜視図、（ｂ）は、食品用腕カバーの正面図である。
【図２】（ａ）は、食品に紫外線光源を用いて紫外線を照射させる説明図を示し、（ｂ）は、（ａ）に示すＡ部分の拡大図で、同実施形態に係る食品用防護着の破損片が食品に混入された際、その破損片が紫外線に反応して発光している状態を示す図である。
【発明を実施するための形態】
【００１３】
以下、本発明に係る食品用防護着の一実施形態について、図１〜図２を参照して具体的に説明する。なお、以下の説明において、上下左右の方向を示す場合は、図示正面から見た場合の上下左右をいうものとする。
【００１４】
本実施形態に係る食品用防護着は、図１（ａ）に示すように、食品用エプロン１と、図１（ｂ）に示すように、食品用腕カバー２とからなる。食品用エプロン１は、食品工場等の床や作業台等の水洗いなどの作業で液体や固体が衣服に触れて汚れるのを防ぐために作業者が着用するものであって、図１（ａ）に示すように、食品用エプロン本体１０を備えている。この食品用エプロン本体１０は、一枚の合成樹脂製（ポリエチレン、ポリ塩化ビニル、ポリウレタン、ＥＶＡ等）の薄肉シートによって形成されており、食品工場等で働く作業者Ｈ（図１（ｂ）参照）の首に引っ掛けることができる首通し部１０ａと、この首通し部１０ａの下面に一体的に形成されている食品工場等で働く作業者Ｈ（図１（ｂ）参照）の前面（胸側）を覆う前面部１０ｂとで構成されている。そして、このように形成される食品用エプロン本体１０には、その全域に亘って、紫外線に反応して発光する発光物質が混練されている。この発光物質は、ブラックライト等の紫外線光源Ｌ（図２（ａ）参照）から照射される紫外線Ｓ（図２（ａ）参照）に反応するものであって、蛍光顔料あるいは蛍光染料等で形成されている。なお、この発光物質は、食品用エプロン本体１０が製造される際、合せて混練される。これにより、食品用エプロン本体１０の全域に亘って、紫外線に反応して発光する発光物質が混練されることとなる。
【００１５】
一方、食品用腕カバー２は、液体や固体が衣服の袖口等に触れて汚れるのを防ぐために作業者に着用されるものであって、図１（ｂ）に示すように、食品用腕カバー本体２０を備え、合成樹脂製（ポリエチレン、ポリ塩化ビニル、ポリウレタン、ナイロン、ＥＶＡ等）の薄肉シートによって形成されている。そして、この食品用腕カバー本体２０は、食品工場等で働く作業者Ｈの腕を通す筒状の胴体部２０ａと、その胴体部２０ａの両端に位置する開口部２０ｂとで構成されている。これにより、作業者Ｈは、この何れか一方の開口部２０ｂより腕を通すことにより、図１（ｂ）に示すように、食品用腕カバー２を着用することができる。
【００１６】
ところで、このように形成される食品用腕カバー本体２０には、その全域に亘って、紫外線に反応して発光する発光物質が混練されている。この発光物質は、ブラックライト等の紫外線光源Ｌ（図２（ａ）参照）から照射される紫外線Ｓ（図２（ａ）参照）に反応するものであり、蛍光顔料あるいは蛍光染料等で形成されている。なお、この発光物質は、食品用腕カバー本体２０が製造される際、合せて混練される。これにより、食品用腕カバー本体２０の全域に亘って、紫外線に反応して発光する発光物質が混練されることとなる。
【００１７】
かくして、このような食品用エプロン１と、食品用腕カバー２とからなる食品用防護着を着用して作業者Ｈは、ハム，ソーセージ，漬物，お菓子，乳製品，お弁当等の食品Ｆ（図２（ａ）では、お弁当を例示）を取り扱う。この際、何らかの理由により、食品用エプロン１，食品用腕カバー２自体が破損し、図２（ｂ）に示すような破損片Ｋが食品Ｆ（図示では、お弁当を例示）に混入してしまう場合がある。しかしながら、このような事態が発生したとしても、食品用エプロン１の食品用エプロン本体１０，食品用腕カバー２の食品用腕カバー本体２０には、その全域に亘って紫外線に反応して発光する発光物質が混練されているから、図２（ｂ）に示す破損片Ｋにも発光物質が混練されていることとなる。それゆえ、図２（ａ）に示すように、食品Ｆ（図示では、お弁当を例示）にブラックライト等の紫外線光源Ｌを用いて紫外線Ｓを照射させると、その紫外線Ｓに反応して、図２（ｂ）に示すように破損片Ｋが発光することとなる。これにより、図２（ｂ）に示すような破損片Ｋが食品Ｆ（図示では、お弁当を例示）に混入してしまったとしても、その破損片Ｋを簡単容易に発見することができる。
【００１８】
なお、本実施形態においては、食品用エプロン１の食品用エプロン本体１０，食品用腕カバー２の食品用腕カバー本体２０の全域に亘って紫外線に反応して発光する発光物質を混練する例を示したが、それに限らず一部でも良い。しかしながら、食品用エプロン１の食品用エプロン本体１０，食品用腕カバー２の食品用腕カバー本体２０の全域に亘って紫外線に反応して発光する発光物質を混練した方が好ましい。食品用エプロン１の食品用エプロン本体１０，食品用腕カバー２の食品用腕カバー本体２０のどの部分が破損しても、その破損片Ｋには紫外線に反応して発光する発光物質が混練されていることとなり、もって、食品Ｆ（図示では、お弁当を例示）に混入してしまった破損片Ｋを簡単容易に発見することができるためである。
【００１９】
しかして、以上説明した本実施形態によれば、食品用エプロン１の食品用エプロン本体１０，食品用腕カバー２の食品用腕カバー本体２０に紫外線に反応して発光する発光物質が混練されているから、食品Ｆ（図示では、お弁当を例示）に、食品用エプロン１，食品用腕カバー２の破損片Ｋが混入されたとしても、その食品Ｆにブラックライト等の紫外線光源Ｌを用いて紫外線Ｓを照射させれば、その紫外線Ｓに反応して破損片Ｋが発光するため、当該破損片Ｋを簡単容易に発見することができる。
【００２０】
なお、本実施形態において、食品用防護着は、食品用エプロン１と、食品用腕カバー２とからなるとしたが、食品用エプロン１又は食品用腕カバー２の何れか一方からなるものでも良い。
【００２１】
なおまた、本実施形態に示した形状・寸法等はあくまで例示であり、特許請求の範囲に記載された本発明の要旨の範囲内において、種々の変形・変更が可能である。
【符号の説明】
【００２２】
１          食品用エプロン（食品用防護着）
２          食品用腕カバー（食品用防護着）
１０        食品用エプロン本体（食品用防護着本体）
２０        食品用腕カバー本体（食品用防護着本体）
Ｋ          破損片
Ｆ          食品
Ｌ          紫外線光源
Ｓ          紫外線
【図１】
2018003188.tif 000003
【図２】
2018003188.tif 000004